(57)【要約】【課題】  原稿流し読みの精度向上、黒スジ発生防止。【解決手段】  流し読み取り部の直上でのＡＤＦの構成で、ミニベルト、１つのセンターローラー、１つ以上の圧接ローラーを有しており、センターローラーとベルトの周長差により弛みを作り、その弛みでガラスとの間にニップを作る、当該部で原稿搬送する。【選択図】  図１
2005200151.tif 000002
【特許請求の範囲】
【請求項１】
原稿の画像情報をガラス等の透過媒体を介して、光学的に読み取る事が可能な画像情報読み取り部を有した画像形成装置と該装置に具備され原稿を画像形成装置の所定の画像情報読み取り部に搬送可能な、自動原稿給送装置において、
該自動原稿給送装置は、１つのセンターローラー部材と該センターローラー部材に、弛みを有して保持される無端のベルト状の部材と該ベルト状部材を圧接させる圧接ローラー部材を１つ以上有し、原稿の搬送時においては、該無端のベルト状部材は、前記画像情報読み取り部のガラス等の透過媒体に対して接触しながら、回転し、該無端のベルト部材とガラス等の透過媒体の間で原稿を搬送する事を特徴とした自動原稿給送装置。
【請求項２】
上記無端のベルト状部材の周長と、該無端のベルト状部材を内側より挟持、保持するローラーの外周との比率は１．０５〜１．５：１である事を特徴とする上記請求項１に記載の画像形成装置。
【発明の詳細な説明】
【技術分野】
【０００１】
本発明は、複写機等の画像形成装置に具備された自動原稿給送装置に関するものである。
【背景技術】
【０００２】
従来、自動原稿給送装置は複写機などの画像形成装置に具備され、原稿トレイに積載された複数の原稿を分離部で一枚一枚に分離し、該装置の画像読み取り部に原稿を搬送し、一定の速度で原稿を搬送させながら原稿の画像情報を読み取り部で読み取る装置が種々提案されている。
【０００３】
図４は従来の自動原稿給送装置７０の例を示すものである。図中、画像形成装置本体１には、原稿の画像情報読み取り部２を有し、一般的には原稿がその上のプラテンガラス３０上を通過中に光を照射して、その反射光を拾い原稿の画像情報を読み取っている（以後、このように原稿を移動させてその画像情報を読み取る事を流し読みとする。）。
【０００４】
搬送途中の原稿の画像情報を正確に読み取る為に、原稿をプラテンガラス３０の上を一定速度で搬送させ、且つプラテンガラス上面に対して離間させずに搬送する事が必要でその為に、自動原稿給送装置７０において、前記プラテンガラス３０の上方に、搬送ローラー２０、該搬送ローラー２０のローラー外周より長い周長を有する無端の搬送ベルト２１、該搬送ベルト２１を搬送ローラー２０の回転に追従させる為に搬送ベルト２１を搬送ローラー２０に押さえつけている挟持ローラー２２を有し、搬送ローラー２０を回転させる事により挟持ローラー２２によって挟まれた搬送ベルトは追従回転する、その周長が搬送ローラー周よりも長い為、その長い分が弛みとなって、プラテンガラス３０に接触しながら回転移動させ、そのベルトとガラスの間に原稿を搬送させている。そして、その原稿の搬送中に原稿の画像情報を読み取っていた。
【特許文献１】特開平０６−２６３２９０号（図２）
【発明の開示】
【発明が解決しようとする課題】
【０００５】
しかしながら、先の従来例において、プラテンガラス３０と無端の搬送ベルト２１を接触させ原稿を搬送する装置においては、搬送ローラー２０の外周より長い搬送ベルト２１を用いその長さの差分で弛みを作り、その弛みで搬送ベルト２１とプラテンガラス３０を一定の接触領域を有しながら原稿を搬送させる構成となっている。そしてその一定の接触領域を原稿の画像読み取り部と合致させている為、搬送ベルト２１とプラテンガラス接触している領域を安定させる事が必要であるが、先の従来例においては、搬送ベルトの弛みを規制する手段を有していない為、弛みの量、位置が変動してしまい、その状態で原稿が搬送されると画像読み取り部上において、原稿の搬送速度の変動や、読み取りタイミングが変化してしまう為に、流し読みで得られる画像情報に伸び、縮み、ブレ、位置ズレ等が発生してしまうという問題が存在していた。
【課題を解決するための手段】
【０００６】
しかしながら、本発明において示す自動原稿給送装置３の如く、無端の搬送ベルト２１に対して回転運動を与える搬送ローラー２０及び挟持ローラー２２に加えて、搬送ローラー２０の画像情報読み取り側とは反対面の搬送ベルト２１の浮き、弛みを押える為の規制ガイド２９及び弛みの量、方向を規制する為の規制ローラー２８を搬送ベルト２１の外周面の画像情報読み取り部と挟持ローラー２２の当接部の間に配置し、搬送ベルト２１の挙動を規制している。この、規制ローラー２８は搬送ベルト２１を搬送ローラー１０に対して挟持ローラー２２より小さい圧力で押圧しているか、もしくは、微小空間を空けて配置されている。その為、搬送ベルトは、搬送ローラー２０の画像情報読み取り部の反対面において、弛みを許容する物理的な空間が無くなる為、弛みが画像情報読み取り側に集中される。その事により、本装置にて原稿を搬送する際において、搬送ベルトがいつも同じ弛み状態で原稿の搬送する事が可能となり、得られる画像情報において伸び、縮み、ブレ等が発生しない。
【発明の効果】
【０００７】
以上、説明したように画像形成装置１の画像読み取り部に配置されている、読み取りの為の透過媒体（プラテンガラス３０等）に対して、搬送しうる原稿の最大幅よりも長い無端のベルト状部材を弛みを有した状態で設置させ、その状態で回転させ、そのプラテンガラス３０と無端のベルト状部材との間を搬送させ、その搬送途中に画像情報を読み取る事により、原稿がプラテンガラス３０に対して浮きのない状態で画像情報を読み取る事が可能でないばかりでなく、搬送上流より運ばれてくる、画像形成物に白スジ、黒スジといった影響を及ぼす異物に対して、画像読み取り部で停滞させることなく移動させる事が可能となる。
【０００８】
更に、弛みを持って透過媒体に接触させている為に接触圧を弱く設定させる事が可能となり、透過媒体及び無端のベルト状の部材の高寿命化を実現させた物である。
【発明を実施するための最良の形態】
【０００９】
（第１の実施例）
以下、図面を用いて本発明の実施例を説明する。
【００１０】
（原稿搬送の流れ）
図１において、本発明である自動原稿給送装置２は、画像形成装置１の上に載置されている。
【００１１】
まず初めに、原稿の搬送の流れを説明する。
【００１２】
自動原稿給送装置３において、原稿Ｓは搬送方向先端をシャッター５に突き当て、原稿トレイ４上に載置される。そして、複写動作開始と共にシャッター５は原稿通紙面より退避し、ピックアップローラー６は原稿Ｓ上に降下し、該ピックアップローラーの回転に伴い最上原稿が分離に搬送される。原稿は分離ローラー７と分離パッド８により１枚づつに分離され以後、引き抜きローラー９，１０、搬送ローラー対１１，１２及び、１３，１４を介して下流方向に搬送される。そして、搬送ベルト２１とプラテンガラス３０が接触する画像読み取り部を一定速度で搬送され、中間ローラー対１６，１７を経て排紙ローラー対１８，１９によって、排紙積載台４０の上に排紙される。
【００１３】
（画像情報読み取り）
自動原稿給送装置３を用いて画像形成する場合においては、その原稿の画像情報を読み取る際には、原稿を任意の速度で定常搬送させながら、固定された画像形成装置１の光学系２によって該原稿の画像情報を読み取る。図２において搬送中の原稿の先端は弾性体で形成されている読み取り入り口マイラー２３，２４を通過後プラテンガラス３０上に搬送される、該プラテンガラス３０の上においては、搬送ベルト２１は搬送ローラー２０に巻きつけられ、挟持ローラー２２によって挟まれている。規制ガイド２９は搬送ローラー２０の約上半分を覆うように形成されており、搬送ローラー２０と搬送ベルト２１の厚みより広い空間を形成している。規制ローラー２８は搬送ベルト２１の外周面のプラテンガラスとの接触面と挟持ローラーの当接部との間に配置されている。本実施例においては、前記規制ローラー２８は、搬送ベルト２１を搬送ローラー２０に押圧している構成を用いているが、微小空間を有し離間している場合においても本発明の主旨に沿うものである。本発明においては、規制ローラー２８を搬送ローラー２０に押圧している事は先にも述べたが、その押圧力は挟持ローラーのそれに比べると弱く設定されている。その為、挟持ローラー２２で押圧している部分と規制ローラー２８との間で搬送ベルトの引っ張り合いを起こした時においては、挟持ローラー２２側が搬送ベルト２１の挙動に関して支配的になる。又、本実施例において規制ローラー２８は、プラテンガラス３０に対して略水平に２点配置されている。そして、引っ張り合い等を起こした場合においては、搬送ベルト２１の周長はギャップローラー２０の円周より大きい為、下方向に弛みができる。その弛みがプラテンガラス３０に対して接触する領域を形成させる。ギャップローラー２０は原稿搬送時、原稿を搬送方向下流側に搬送するようにある一定速度で回転する。搬送ベルト２１は前記ギャップローラー２０と挟持ローラー２２によって、挟まれている為にギャップローラー２０の回転に追従するように回転する。
【００１４】
その為、前記回転と搬送ベルト２１とプラテンガラス３０との接触により、プラテンガラス３０上での搬送力となり、原稿をプラテンガラス３０の表面に接触させたまま搬送させる。そして、その搬送中に画像の読み取りがなされる（以後、原稿を搬送中にその画像情報を読み取る事を流し読みとする。）。
【００１５】
その後、原稿はジャンプ台２５、読み取り後マイラー２６を経て再び自動原稿給送装置３内に搬送される。
【００１６】
（流し読み取り部の構成）
図２は、流し読み取り部の近傍の装置構成詳細図である。
【００１７】
搬送ベルト２１はその自動原稿給送装置で搬送できる原稿の最大幅方向より長く、画像読み取り部において、原稿の搬送方向と直交する方向を均一にプラテンガラス３０に押し付け可能としている。又、搬送ベルト２１の周長や形状、ギャップローラーの径を変更する事により、搬送ベルト２１とプラテンガラス３０の接触量や接触力を容易に設定させる事が可能であり、その装置に適した画像読み取り部の構成に変更させやすいものとしている。
【００１８】
ベルトフランジ２７は搬送ベルト２１がギャップローラー２０よりはずれないように押える為のものであり、ギャップローラー２０の搬送ベルト２１が巻きついている両外側に配置されている。又、画像情報を読み取る際の再現性を向上させる為に、搬送ベルト２１の表面は白色にコーティングされたものを使用している。
【００１９】
以上、説明した通り画像情報読み取り部であるプラテンガラス３０に対して、その略直上にローラーと該ローラーの径よりも大きい周長を有する搬送ベルトを配置してその、前記搬送ベルトの弛みをプラテンガラス３０に接触させ、その接触部を原稿の搬送の搬送経路として、尚且つ前記搬送部を搬送中に原稿の画像情報を読み取る事を特徴とした自動原稿搬送装置である。
【００２０】
（第２の実施例）
図３は第２の実施例を示した図であり、先の実施例１においてはギャップローラー２０に対して搬送ベルト２１を挟持している、挟持ローラー２２はプラテンガラス３０の反対側に１つ配置されていたが、本実施例においては２つの挟持ローラー２２−ａ、２２−ｂをプラテンガラス３０とは、ギャップローラー２０を介して反対側に配置されている。この２つの挟持ローラーに挟まれた区間Ｒにおいては、搬送ベルト２１の弛みはほとんど形成されない、区間Ｒの反対側に弛みが集約されて形成される、このことにより、弛みが形成される区間を規制する事が可能となり、搬送ベルト２１の弛みによって支配される、空間を減らす事を可能としたものである。
【図面の簡単な説明】
【００２１】
【図１】本発明の画像形成装置、及び自動原稿給送装置の簡略断面図。
【図２】自動原稿給送装置、画像読み取り部近傍の詳細図。
【図３】実施例２の自動原稿給送装置、画像読み取り部近傍の詳細図。
【図４】従来の画像形成装置、及び自動原稿給送装置の簡略断面図。
【符号の説明】
【００２２】
１  画像形成装置
２  画像情報読み取り部
３  本発明に関わる自動原稿給送装置
４  原稿トレイ
５  シャッター
６  ピックアップローラー
７  分離給紙ローラー
８  分離パッド
９，１０  引き抜きローラー対
１１，１２，１３，１４  搬送ローラー対
１５  プラテンローラー
１６，１７  中間ローラー対
１８，１９  排紙ローラ対
２０  ギャップローラー
２１  搬送ベルト
２２  挟持ローラー
２３，２４  読み取り入り口マイラー
２５  ジャンプ台
２６  読み取り後マイラー
２７  ベルトフランジ
３０  プラテンガラス
４０  排紙積載台
７０  従来の自動原稿搬送装置
Ｓ  原稿
【図１】
2005200151.tif 000003
【図２】
2005200151.tif 000004
【図３】
2005200151.tif 000005
【図４】
2005200151.tif 000006